(57)【要約】【課題】  たとえアクセス回数が限られていても、ユーザによる画像データ選択を補助することのできる画像管理サーバを提供する。【解決手段】  画像管理サーバにマイクを設け、画像データ閲覧時の音声データを収集する。この音声データの大きさ（音量）を計測し、画像管理データベースにおいて、それぞれの画像ファイルに閲覧時の音量を関連付ける。これにより、閲覧の際の音量の大きさで、その画像に対する反響の大きさがわかり、これを元に、画像表示の優先順位をつけることが可能となる。【選択図】      図６
2006155040.tif 000002
【特許請求の範囲】
【請求項１】
画像データを格納すると共に、前記画像データを閲覧に供する機能を有する画像管理サーバにおいて、
前記画像データを出力する画像データ出力手段と、
前記画像データ出力手段による前記画像データの出力に応じた音声情報を取得する音声情報取得手段と、
前記音声情報取得手段が取得した前記音声情報に関連付けて前記画像データを管理する画像管理手段と、
前記音声情報に基づいて前記画像データの表示順を決定する表示並べ替え手段と
を備えることを特徴とする画像管理サーバ。
【請求項２】
前記音声情報は、前記画像データの出力に応じた音声の音量であることを特徴とする請求項１記載の画像管理サーバ。
【請求項３】
前記音声情報は、前記画像データ出力手段から前記画像データを出力している時間中に集音した音声の最大音量であることを特徴とする請求項２記載の画像管理サーバ。
【請求項４】
前記音声情報は、前記画像データ出力手段から前記画像データを出力している時間中に集音した音声の音量の平均値であることを特徴とする請求項２記載の画像管理サーバ。
【請求項５】
請求項１乃至請求項４のいずれか１項に記載の画像管理サーバにおいて、
前記画像データ出力手段による前記画像データの出力時間を計測する出力時間計測手段をさらに備え、
前記画像管理手段は、前記出力時間計測手段が計測する前期出力時間に関連付けて前記画像データを管理し、
前記表示並べ替え手段は、前記音声情報及び前記出力時間に基づいて前記画像データの表示順を決定することを特徴とする画像管理サーバ。
【請求項６】
請求項１乃至請求項４のいずれか１項に記載の画像管理サーバにおいて、
前記画像データ出力手段による前記画像データの出力回数を取得する出力回数取得手段をさらに備え、
前記画像管理手段は、前記出力回数取得手段が取得する前記出力回数に関連付けて前記画像データを管理し、
前記表示並べ替え手段は、前記音声情報及び前記出力回数に基づいて前記画像データの表示順を決定することを特徴とする画像管理サーバ。
【請求項７】
請求項１乃至請求項４のいずれか１項に記載の画像管理サーバにおいて、
前記画像データの作成時刻を取得する作成時刻取得手段をさらに備え、
前記画像管理手段は、前記作成時刻取得手段が取得する前記作成時刻に関連付けて前記画像データを管理し、
前記表示並べ替え手段は、前記音声情報及び前記作成時刻に基づいて前記画像データの表示順を決定することを特徴とする画像管理サーバ。
【請求項８】
請求項１乃至請求項４のいずれか１項に記載の画像管理サーバにおいて、
前記画像データの作成場所情報を取得する作成場所情報取得手段をさらに備え、
前記画像管理手段は、前記作成場所情報取得手段が取得する前記作成場所情報に関連付けて前記画像データを管理し、
前記表示並べ替え手段は、前記音声情報及び前記作成場所情報に基づいて前記画像データの表示順を決定することを特徴とする画像管理サーバ。
【請求項９】
請求項１乃至請求項４のいずれか１項に記載の画像管理サーバにおいて、
前記画像データのカテゴリを取得するカテゴリ取得手段をさらに備え、
前記画像管理手段は、前記カテゴリ取得手段が取得する前記カテゴリに関連付けて前記画像データを管理し、
前記表示並べ替え手段は、前記音声情報及び前記カテゴリに基づいて前記画像データの表示順を決定することを特徴とする画像管理サーバ。
【発明の詳細な説明】
【技術分野】
【０００１】
本発明は、画像データを格納する画像管理サーバに関する。
【背景技術】
【０００２】
画像管理サーバに保管される多数の画像データの中から、１枚の画像データを選択する必要のある場合がある。例えば、乳児や記念撮影等の多数の画像データの中から１枚の画像データを選び、年賀状や記念写真として特定用途に使いたい場合等である。このような多くの画像データを閲覧する際に、画像データの撮像日時や撮影場所等に基づいて管理を行って提示するシステムは従来より知られていたが、このような情報は、主として撮影時に得られる情報である。しかしながら、ユーザが取得／閲覧を望む画像データの順序は、当然ながら撮影日時順等の撮影時の情報とは無関係である。そこで、画像データへのアクセスに関連する情報を用いて画像データを管理することが考えられている（例えば特許文献１参照）。特許文献１では、例えばアクセス回数の多い順等で画像データを提示することのできる画像管理サーバが提案されている。例えばアクセス回数の多い画像データは、それだけユーザが頻繁に見ている注目された画像データと考えられるので、これにより、アクセス回数の多い画像データを画像データリストの上位に表示させることができるようになる。
【０００３】
【特許文献１】特開２００３−０３０６２３号公報
【発明の開示】
【発明が解決しようとする課題】
【０００４】
しかしながら、例えばアクセス回数等に基づいて管理する特許文献１記載の方法は、何度も閲覧する画像データ等に用いる場合には好適であるが、実際には、撮像した画像データを何度も頻繁に見返すケースは少ない。例えば先述の例のように乳児に係る多くの画像データを撮像したが、撮像した画像データ群は、来客があった日に皆で全部を１度見たまま保存されている場合も多い。特に乳児を撮影した画像データや七五三等の際の記念撮影の画像データ等は、アングルはほぼ同じで、表情が少し違うだけといった似たような画像データとなることが多く、一目見ただけでは、なかなかその差別化を図ることができない。このような場合には、それぞれの画像データのアクセス回数やアクセス日時等の情報がそれ程異なるとは考えにくいため、これらの情報に基づいて、例えば年賀状用にどの１枚の画像データを選択すべきかを決定するといったことは困難である。またこの問題は、例えば七五三の際の記念撮影のように、撮影直後の限られた時間に１枚の画像を選択しなければならない場合等は特に顕著となる。
【０００５】
そこで本発明は、たとえアクセス回数が限られていても、ユーザによる画像データ選択を補助することのできる画像管理サーバを提供することを目的とする。
【課題を解決するための手段】
【０００６】
上記目的を達成するために、本発明の画像管理サーバは、画像データを格納すると共に、前記画像データを閲覧に供する機能を有する画像管理サーバにおいて、前記画像データを出力する画像データ出力手段と、前記画像データ出力手段による前記画像データの出力に応じた音声情報を取得する音声情報取得手段と、前記音声情報取得手段が取得した前記音声情報に関連付けて前記画像データを管理する画像管理手段と、前記音声情報に基づいて前記画像データの表示順を決定する表示並べ替え手段とを備えることを特徴とする。
【発明の効果】
【０００７】
本発明によれば、たとえアクセス回数が限られていても、ユーザによる画像データ選択を補助することのできる画像管理サーバを提供することができる。
【発明を実施するための最良の形態】
【０００８】
以下、本発明の画像管理サーバについて、図面を参照しながら説明する。
【実施例１】
【０００９】
図１は、本発明の実施例である画像管理サーバを含む画像管理システム全体の構成を示す。本画像管理システム１０は、撮像用のデジタルカメラ２００と、デジタルカメラ２００と接続して画像を受け取り、管理を行う画像管理サーバ３００と、画像管理サーバ３００の操作に用いるリモコン１１と、画像管理サーバ３００に格納された画像データを表示することのできるディスプレイ１２及びノートＰＣ１３とから構成される。ディスプレイ１２は、画像データの他に画像管理サーバ３００からの出力によりリモコン１１の操作状況を表示することができる。
【００１０】
図２に、デジタルカメラ２００の外観を示す。図２（ａ）はデジタルカメラ２００の正面図、図２（ｂ）はデジタルカメラ２００の背面図、図２（ｃ）はデジタルカメラ２００の左側面図である。
【００１１】
デジタルカメラ２００の前面には、レンズ２０１が配置される。レンズ２０１から画像を撮像する場合には、デジタルカメラ２００の上面に配置されたシャッタボタン２０２を押す。またこのとき、背面からファインダ２０３を覗いて撮像範囲を確認する。
【００１２】
デジタルカメラ２００の背面には、ファインダ２０３と、液晶ディスプレイ２０４と、選択キー２０５と、分類タグ指定ダイヤル２０６とが配置される。ファインダ２０３は、撮像する際に撮像範囲を確認するものである。液晶ディスプレイ２０４は、記録済み画像を再生表示する手段として用いることができる。選択キー２０５は、液晶ディスプレイ２０４に表示される表示画面において、所望の項目を選択するためのカーソル移動に使用する。
【００１３】
分類タグ指定ダイヤル２０６は、回転、若しくは回動可能に取り付けられており、撮像した画像データのカテゴリを決定するためのものである。例えば、予め「旅行」「子供」等のカテゴリ分類を予め設定しておき、この分類タグ指定ダイヤル２０６を操作すれば、「旅行」「子供」等の項目が液晶ディスプレイ２０４に表示される。この操作により、撮像した画像データのカテゴリを設定できる。このそれぞれの画像データのカテゴリは、画像データのヘッダ部分に書き込まれる。
【００１４】
デジタルカメラ２００の左側面には、記憶媒体であるＳＤ（Ｓｅｃｕｒｅ  Ｄｉｇｉｔａｌ）カードの出し入れをするためのＳＤカードスロット２０７と、ＵＳＢ（Ｕｎｉｖｅｒｓａｌ  Ｓｅｒｉａｌ  Ｂｕｓ）ケーブルを通して画像管理サーバ３００へデータを出力するためのＵＳＢ端子２０８とが配置される。
【００１５】
図３に、デジタルカメラ２００の構成を示すブロック図を示す。デジタルカメラ２００は、デジタルカメラ２００全体の動作を統括制御するＣＰＵ（Ｃｅｎｔｒａｌ  Ｐｒｏｃｅｓｓｉｎｇ  Ｕｎｉｔ）２１０と、ＣＰＵ２１０で動作するプログラムを格納したり、処理に必要なデータを格納するメインメモリ２１１と、撮像した画像データを記録するＳＤカード用のインタフェースであるＳＤカードインタフェース２１２と、ＳＤカードインタフェース２１２を制御するためのＳＤカード制御部２１３と、撮像した画像データ等を表示する液晶ディスプレイ２０４と、液晶ディスプレイ２０４を制御するための液晶制御部２１４と、レンズやＣＣＤ等の光学系素子２１５と、光学系素子２１５の制御を行う光学系制御部２１６と、光学系素子２１５から入力される映像信号をＪＰＥＧ（Ｊｏｉｎｔ  Ｐｈｏｔｏｇｒａｐｈｉｃ  Ｅｘｐｅｒｔｓ  Ｇｒｏｕｐ）等のフォーマットに変換する画像処理回路２１７と、現在位置を取得するＧＰＳ（Ｇｌｏｂａｌ  Ｐｏｓｉｔｉｏｎｉｎｇ  Ｓｙｓｔｅｍ：全地球測位システム）アンテナ２１８と、ＧＰＳアンテナの制御を行うＧＰＳ制御部２１９と、シャッタボタン２０２や選択キー２０５、タグ指定ダイヤル２０６等の操作ボタンである操作部２２０と、操作部２２０を制御する操作制御部２２１と、画像管理サーバ３００やノートＰＣ１３と接続して画像データをやり取りするためのＵＳＢケーブルのインタフェースであるＵＳＢ端子２０８と、ＵＳＢ端子２０８を制御するためのＵＳＢ制御部２２２と、ＩＣ（Ｉｎｔｅｇｒａｔｅｄ  Ｃｉｒｃｕｉｔ）タグからの電波を受信するＲＦＩＤ（Ｒａｄｉｏ  Ｆｒｅｑｕｅｎｃｙ  Ｉｄｅｎｔｉｆｉｃａｔｉｏｎ）リーダ２２３と、ＲＦＩＤリーダ２２３を制御するＲＦＩＤ制御部２２４とから構成される。
【００１６】
ＧＰＳアンテナ２１８は先述の通り、ＧＰＳ制御部２１９の制御を受けて、現在位置を取得する。この現在位置は、画像撮影時に、緯度及び経度として取得され、画像データのヘッダ部分に組み込まれる。
【００１７】
ＲＦＩＤリーダ２２３は、ＩＣタグからの電波を受信する。このＩＣタグは、例えば携帯電話に組み込まれたＩＣタグなどであり、携帯電話に組み込まれたＩＣタグは、遊園地や演劇等の入場券として使われる。即ち、当該ＩＣタグを読み込むことにより、遊園地の中にいるかどうか等の情報を、デジタルカメラ２００が判断できるようになる。この情報は、撮像した画像データのカテゴリ分けに利用することができる。例えば、遊園地内にいれば、そこで撮像した画像データは、「遊園地」というカテゴリに自動的に格納されるようにする。このようなカテゴリ情報は、画像データのヘッダ部分に書き込まれる。
【００１８】
図４に、画像管理サーバ３００の外観を示す。図４（ａ）は画像管理サーバ３００の正面図、図４（ｂ）は画像管理サーバ３００の背面図である。
画像管理サーバ３００の前面には、操作情報等を表示するための表示パネル３０１と、ＤＶＤ（Ｄｉｇｉｔａｌ  Ｖｅｒｓａｔｉｌｅ  Ｄｉｓｋ）を出し入れするためのＤＶＤトレイ３０２と、リモコン１１からの赤外線信号を受講する赤外線受光部３０３と、デジタルカメラ２００から画像データを入力するためのＵＳＢ端子３０４と、マイク３０５とが配置される。
【００１９】
ＵＳＢ端子３０４は、先述の通りデジタルカメラ２００のＵＳＢ端子２０８と、ＵＳＢケーブルを介して接続され、デジタルカメラ２００で撮像した画像データを入力するための端子である。
【００２０】
マイク３０５は、画像管理サーバ３００に格納された画像データをディスプレイ１２に表示していた場合に、それに応じた音声データを収集するためのものである。
画像管理サーバ３００の背面には、ディスプレイ１２への出力端子であるＴＶ出力インタフェース３０６と、ＬＡＮ端子３０７が配置される。画像管理サーバ３００に格納された画像データをディスプレイ１２へ表示させる場合には、ＴＶ出力インタフェース３０６から信号が出力され、ノートＰＣ１３へ画像データを出力する場合には、ＬＡＮ端子３０７から信号が出力される。
【００２１】
図５は、画像管理サーバ３００の構成を示すブロック図である。画像管理サーバ３００は、画像管理サーバ３００全体の制御を行うＣＰＵ３１０と、ＣＰＵ３１０上で動作するプログラムが格納され、処理に必要なデータが格納されるメインメモリ３１１と、デジタルカメラ２００と接続して画像データを入力するためのインタフェースであるＵＳＢ端子３０４と、ＵＳＢ端子３０４を制御するＵＳＢ制御部３１２と、操作情報をリモコン１１から受け取る赤外線信号を受信するための赤外線受光部３０３と、赤外線受光部３０３を制御する赤外線制御部３１３と、画像データを格納するためのＨＤＤ（Ｈａｒｄ  Ｄｉｓｋ  Ｄｒｉｖｅ）３１４と、ＨＤ３１４を制御するＨＤＤ制御部３１５と、ディスプレイ１２への出力端子であるＴＶ出力インタフェース３０６と、ＴＶ出力インタフェース３０６を制御するＴＶ出力制御部３１６と、ＨＤＤ３１４に格納された画像データのＤＶＤへのバックアップを行うＤＶＤドライブ３１７と、ＤＶＤドライブ３１７を制御するＤＶＤ制御部３１８と、種々の処理時間を計測するタイマ３１９と、タイマ３１９を制御するタイマ制御部３２０と、音声データを収集するマイク３０５と、マイク３０５を制御するマイク制御部３２１と、ノートＰＣ１３等とデータのやり取りをするためのＬＡＮ端子３０７と、ＬＡＮ端子３０７を制御するためのＬＡＮ制御部３２２とから構成される。
【００２２】
ＵＳＢ端子３０４は、デジタルカメラ２００のＵＳＢ端子２０８と接続して、デジタルカメラ２００で撮像した画像データを入力する。ＵＳＢ端子３０４から入力された画像データは、ＨＤＤ３１４に格納される。
【００２３】
ＨＤＤ３１４は、画像データを格納する。図６は、ＨＤＤ３１４内での画像管理データベースの構成を示す図である。この画像管理データベースは、一般的なリレーショナルデータベースの構成を成しており、各画像ファイルには、カテゴリ、撮影時刻、撮影場所、閲覧回数、閲覧時間、音量が関連付けられる。この内、カテゴリ、撮影時刻、及び撮影場所は、デジタルカメラ２００での画像データの作成時にヘッダに書き込まれる情報である。カテゴリは、タグ分類指定ダイヤル２０６を用いて、撮像した画像データに対してユーザが例えば「子供」等のカテゴリを指定することもできるし、或いは、ＲＦＩＤリーダから、例えば遊園地のチケットとして利用されたＩＣタグからの電波情報に基づいて、自動的に「遊園地」等のカテゴリを指定されたものであっても良い。撮影場所は、デジタルカメラ２００で、ＧＰＳアンテナ２１８によって緯度及び経度として得られる。
【００２４】
閲覧回数、閲覧時間、及び音量は、画像データの閲覧時に、画像管理サーバ３００が後から付与する情報である。閲覧回数は、ＴＶ出力インタフェース３０６から画像データを出力し、ディスプレイ１２で表示させた回数である。閲覧時間は、表示させた時間をタイマ３１９で計測した値であり、閲覧させる度に積算させる。音量は、ＴＶ出力インタフェース３０６から画像データを出力し、ディスプレイ１２で表示させている際に、マイク３０５で音声データを集音したときの音声の大きさの最大値である。閲覧させる度に計測し、１度目の閲覧のときの音量の最大値よりも、２度目の閲覧の際の音量の最大値の方が大きければ、データベースに書き込まれる音量の値は更新される。
【００２５】
ＴＶ出力インタフェース３０６は、ディスプレイ１２に表示させるための出力端子であり、ＨＤＤ３１４に格納された画像データ等は、このＴＶ出力インタフェース３０６を介してディスプレイ１２に表示される。
【００２６】
タイマ３１９は、種々の処理時間を計測したり、所定の時間経過後に何らかの機能を起動させる場合等に利用される。特に、ＴＶ出力インタフェース３０６から画像データを出力している場合には、その画像データの出力時間を閲覧時間として計測し、ＨＤＤ３１４の画像管理データベースの閲覧時間の項目に反映させる。
【００２７】
マイク３０５は、ＴＶ出力インタフェース３０６からディスプレイ１２に画像データを出力している場合に、音声データを収集し、その音量を測定する。この音量の最大値を、ＨＤＤ３１４の画像管理データベースの音量の項目に反映させる。
【００２８】
次に、デジタルカメラ２００での撮像の際の処理について説明する。図７は、撮像の際のデジタルカメラ２００の処理の流れを示すフローチャートである。
まず、ユーザは、ファインダ２０３を覗きながらシャッタボタン２０２を押して、撮像を行う（ステップ７１）。この撮像された映像信号は、メインメモリ２１１に記憶された後、画像処理回路２１７で処理されるが、このとき、内部に持つ時計から撮像時刻情報を取得する（ステップ７２）。また、それと共に、ＧＰＳアンテナ２１８から、撮像位置を取得する（ステップ７３）。このとき取得する撮像位置は、緯度及び経度で表現される。さらに、カテゴリ情報を取得する（ステップ７４）。このとき取得するカテゴリは、ユーザが自ら分類タグ指定ダイヤル２０６を用いて設定しても良いし、ＲＦＩＤリーダ２２３から得られる情報に基づいて、「遊園地」等のカテゴリに自動的に設定するようにしても良い。
【００２９】
このようにして取得した撮像時刻、撮像位置、及びカテゴリ情報を、撮像した画像ファイルのヘッダ部分に埋め込む（ステップ７５）。尚、デジタルカメラ２００では、撮像した画像を画像処理回路２１７でＪＰＥＧ形式に処理する。ＪＰＥＧ形式であれば、ヘッダ部分にこのような情報を埋め込むことが可能となっている。このようにして処理した画像データは、ＳＤカードインタフェース２１２から、ＳＤカードに記録する（ステップ７６）。以上のようにして、ＳＤカードに保存された撮像画像データには、撮影時刻及び撮影時間、カテゴリの各情報が埋め込まれる。
【００３０】
次に、デジタルカメラ２００で撮像した画像の画像管理サーバ３００への読込について説明する。図８は、デジタルカメラ２００で撮像した画像を画像管理サーバ３００へ読み込ませる際の処理の流れを示すフローチャートである。
【００３１】
まず、デジタルカメラ２００のＵＳＢ端子２０８と、画像管理サーバ３００のＵＳＢ端子３０４とを、ＵＳＢケーブルで接続し、デジタルカメラ２００のＳＤカードに記録された画像データを、画像管理サーバ３００で読み込む（ステップ８１）。この読み込んだ画像は、ＨＤＤ３１４に記録される。さらに、記録された画像データのヘッダから、撮像時刻、撮影場所、及びカテゴリに関する各情報を抽出する（ステップ８２）。さらに、ＣＰＵ３１０は、画像ファイル名をキーとし、カテゴリ、撮影時刻、及び撮影場所を属性とする図６のようなリレーショナルデータベースを作成し、ＨＤＤ３１４に記録された画像データが保有する画像管理データベースとして登録する（ステップ８３）。尚このとき、読み込んだ画像データに関する閲覧回数、閲覧時間、音量の各属性の値は当然０となる。
【００３２】
図９は、読み込んだ画像データを閲覧し、画像管理データベースを更新する際の流れを示すフローチャートである。
まず、閲覧するため、画像データをＴＶ出力インタフェース３０６からディスプレイ１２へ出力する（ステップ９１）。また、この出力と同時に、タイマ３１９を使用して閲覧時間の計測を開始し、また、マイク３０５からの音声データの音量の計測を開始する（ステップ９２）。ユーザの操作により、当該画像データのＴＶ出力インタフェース３０６からの出力を終えれば（ステップ９３）、これと同時にタイマ３１９での閲覧時間の計測及びマイク３０５での音量の計測を終了する（ステップ９４）。閲覧時間については、画像管理データベースでの閲覧時間の属性に積算させて更新し、また、閲覧回数の値も更新して１回増やす（ステップ９５）。例えば、従来の閲覧時間の属性値が１０秒で、今回の閲覧時間が５秒であれば、画像管理データベースの当該画像データの閲覧時間の属性値を１５秒に更新させる。また、閲覧回数が従来１回であれば、今回の閲覧により、閲覧回数の属性値を２回とする。音量に関しては、今回の閲覧における音量の最大値と、従来の音量の属性値とを比較し（ステップ９６）、従来の音量の属性値よりも大きければ、当該画像データに関する音量の属性値を更新する（ステップ９７）。例えば、従来の音量の属性値が５０ｄＢで、今回の閲覧における音量の最大値が６０ｄＢであれば、当該画像データにおける音量の属性値を６０ｄＢに更新する。反対に、今回の閲覧における音量の最大値が４０ｄＢであれば、音量の属性値は更新せずに、そのまま処理を終了する。
【００３３】
このようにして作成／更新される画像管理データベースは、画像表示の際に利用される。例えば、表形式で一覧を出力しても良いし、各画像のサムネイルとして各画像を表示させても良い。この表示の際に、各画像データの持つ属性値が利用される。図１０は、図６の画像管理データベースの画像の中から、子供のカテゴリに属するものの一覧を表形式で表示させた例である。図１０（ａ）のように、例えば音量の大きな順に画像データを表示させることも可能であるし、図１０（ｂ）のように、例えば撮影時刻順に画像データを表示させることも可能である。
【００３４】
以上説明したように、本実施例に係る画像管理サーバ３００は、画像データ閲覧の際に、それぞれの画像データに対する音声の音量を計測し、この値を画像データと関連付けて画像データを管理する。これにより、例えば家族・友人たちで写真を見ている際に、反響の大きな画像データの優先順位を他の画像データよりも高くして表示させることができる、即ち、各画像データ閲覧の際の反響の大きさに基づいた画像管理を行うことができる。
【００３５】
このような反響の大きさは、たとえ１回しか閲覧していないような場合でも十分に得られる情報と考えられるので、アクセス回数の限られている状況でも、ユーザの画像データ選択を補助することができる。例えば、短時間で画像データを選択しなければならない場合、スライドショーのように一定時間ずつ各画像データを表示させ、その音量を測る（即ち、画像データに対する反響の大きさを見る）ことにより、画像データ選択の一助とすることが可能である。
【００３６】
音量には、閲覧の際の最大値を採用している。一般に、何度も閲覧している内に新鮮味は薄れていくものであるので、平均を取るなどの手法を用いる場合よりも、初めの反響の大きさをより反映させることが可能である。
【００３７】
また、音量だけでなく、閲覧回数や閲覧時間、撮影時刻などの情報も併せて用いることができるため、目的の画像データを検索しやすい。特に閲覧回数や閲覧時間については、これらを用いることにより、何度も参照するお気に入りの画像データ等を簡単に探せるようになる。また、撮影時刻・撮影場所の情報により、撮影時の記憶に基づいて画像データを簡単に探せるようになる。さらに、カテゴリを持つことにより、狭い探索空間の中から画像データを探せるようになる。
【００３８】
ところで、本実施例では、閲覧回数の属性値は、当該画像データをＴＶ出力インタフェース３０６から出力した回数であるが、例えばＬＡＮ端子３０７等を通して、ノートＰＣ１３へ出力した回数等も併せて閲覧回数を数えても良い。
【００３９】
若しくは、画像管理サーバ３００が表示部を持ち、この表示部での閲覧回数や閲覧時間を求めても良い。この場合は、必ずしもＴＶ出力インタフェース３０６は必要ない。
【００４０】
尚、本実施例では、画像管理サーバ３００が扱う画像はデジタルカメラ２００で撮像した画像データのみであったが、スキャナで取り込んだ画像データや、ネットワークを通じてダウンロードしてきた画像データ、描画ソフトを用いてＰＣで作成した画像データ等であることも考えられる。
【００４１】
本実施例では、画像データのカテゴリは、デジタルカメラ２００のみで行っていたが、画像管理サーバ３００で設定できるようにしても良い。これにより、ユーザはより柔軟なカテゴリ設定を行うことができるようになる。
【００４２】
本実施例では、音量は閲覧に際しての最大値を採用しているが、例えば閲覧に関する平均値などでも良い。平均値を採用すれば、画像データ閲覧とは関係の無い要因により音量が大きくなってしまった場合、例えば間違えて大音量で音楽を流してしまった場合等の影響を低く抑えることが可能となる。
【００４３】
マイク端子を設け、外部のマイクを画像管理サーバ３００に接続できるようにしても良い。
その場合、マイク３０５は必ずしも必要ない。
例えば、マイクから入力した、ユーザのコメントを表示させるようにしても良い。
【図面の簡単な説明】
【００４４】
【図１】本発明の実施例１に係る画像管理サーバを含む画像管理システムの全体の構成を示す図。
【図２】本発明の実施例１に係るデジタルカメラの外観を示す図。
【図３】本発明の実施例１に係るデジタルカメラの構成を示すブロック図。
【図４】本発明の実施例１に係る画像管理サーバの外観を示す図。
【図５】本発明の実施例１に係る画像管理サーバの構成を示すブロック図。
【図６】本発明の実施例１に係る画像管理サーバの持つ画像管理データベースの構成を示す図。
【図７】本発明の実施例１に係るデジタルカメラの撮像の際の処理の流れを示すフローチャート。
【図８】本発明の実施例１に係る画像管理サーバへデジタルカメラで撮像した画像データを読み込ませる際の処理の流れを示すフローチャート。
【図９】本発明の実施例１に係る画像管理サーバの画像管理データベースを更新する際の処理の流れを示すフローチャート。
【図１０】図６の画像管理データベースに格納した画像データ中から、子供のカテゴリに属するものの一覧を表形式で表示させた場合の例。
【符号の説明】
【００４５】
１０・・・画像管理システム
１１・・・リモコン
１２・・・ディスプレイ
１３・・・ノートＰＣ
２００・・・デジタルカメラ
２０１・・・レンズ
２０２・・・シャッタボタン
２０３・・・ファインダ
２０４・・・液晶ディスプレイ
２０５・・・選択キー
２０６・・・分類タグ指定ダイヤル
２０７・・・ＳＤカードスロット
２０８・・・ＵＳＢ端子
２１０・・・ＣＰＵ
２１１・・・メインメモリ
２１２・・・ＳＤカードインタフェース
２１３・・・ＳＤカード制御部
２１４・・・液晶制御部
２１５・・・光学系素子
２１６・・・光学系制御部
２１７・・・画像処理回路
２１８・・・ＧＰＳアンテナ
２１９・・・ＧＰＳ制御部
２２０・・・操作部
２２１・・・操作制御部
２２２・・・ＵＳＢ制御部
２２３・・・ＲＦＩＤリーダ
２２４・・・ＲＦＩＤ制御部
３００・・・画像管理サーバ
３０１・・・表示パネル
３０２・・・ＤＶＤトレイ
３０３・・・赤外線受光部
３０４・・・ＵＳＢ端子
３０５・・・マイク
３０６・・・ＴＶ出力インタフェース
３０７・・・ＬＡＮ端子
３１０・・・ＣＰＵ
３１１・・・メインメモリ
３１２・・・ＵＳＢ制御部
３１３・・・赤外線制御部
３１４・・・ＨＤＤ
３１５・・・ＨＤＤ制御部
３１６・・・ＴＶ出力制御部
３１７・・・ＤＶＤドライブ
３１８・・・ＤＶＤ制御部
３１９・・・タイマ
３２０・・・タイマ制御部
３２１・・・マイク制御部
３２２・・・ＬＡＮ制御部
【図１】
2006155040.tif 000003
【図２】
2006155040.tif 000004
【図３】
2006155040.tif 000005
【図４】
2006155040.tif 000006
【図５】
2006155040.tif 000007
【図６】
2006155040.tif 000008
【図７】
2006155040.tif 000009
【図８】
2006155040.tif 000010
【図９】
2006155040.tif 000011
【図１０】
2006155040.tif 000012